(57)【要約】      （修正有）【課題】  蓋部材を、容器本体から容易に外せる状態と、容器本体に強固に係合した状態との２種の蓋止状態を取り得る発泡合成樹脂製容器を提供すること。【解決手段】  底面と、該底面の外周より立ち上がる側壁とを有し、上面が開口した四角形状の容器本体２０と、該容器本体２０の前記上面開口を蓋止する四角板形状の蓋部材１０とから成る発泡合成樹脂製容器において、前記蓋部材１０と前記容器本体２０との会合部に、９０度或いは１８０度相対的に回転させて蓋部材１０を容器本体２０に装着した場合に、非係合状態から係合状態、或いはその逆の状態となる係合部１５，２５を形成したことを特徴とする。【選択図】        図４
2007091309.tif 000002
【特許請求の範囲】
【請求項１】
底面と、該底面の外周より立ち上がる側壁とを有し、上面が開口した四角形状の容器本体と、該容器本体の前記上面開口を蓋止する四角板形状の蓋部材とから成る発泡合成樹脂製容器において、前記蓋部材と前記容器本体との会合部に、９０度或いは１８０度相対的に回転させて蓋部材を容器本体に装着した場合に、非係合状態から係合状態、或いはその逆の状態となる係合部を形成したことを特徴とする、発泡合成樹脂製容器。
【請求項２】
前記蓋部材と前記容器本体との会合部に、９０度或いは１８０度相対的に回転させて蓋部材を容器本体に装着した場合に、開口状態から閉塞状態、或いはその逆の状態となる通気用切欠部を更に形成したことを特徴とする、請求項１に記載の発泡合成樹脂製容器。
【発明の詳細な説明】
【技術分野】
【０００１】
本発明は、発泡合成樹脂製容器に関するもので、特に、蓋部材による蓋止状態を変更できる発泡合成樹脂製容器に関するものである。
【背景技術】
【０００２】
従来から、鮮魚、青果物、生鮮食品等の被収容物を収容する容器として、軽量であるとともに断熱性に優れた発泡合成樹脂製容器が広く使用されている。
【０００３】
かかる発泡合成樹脂製容器は、被収納物の保冷の観点等から蓋止されているため、市場等において被収納物を確認し、その品質・価値等を知見しようとすれば、一々、蓋部材を開けて確認しなければならないことから、蓋部材は容器本体に対して外れ易い構成とされ、本格的に輸送する際には、別途、バンド、或いはテープ等によって蓋部材を容器本体に固定することが成されていた。
【０００４】
また、リンゴ等の季節商品は、収穫時に発泡合成樹脂製容器に入れられ、冷蔵庫に寝かせることによって一年を通して安定的に出荷することが成されているが、冷蔵庫内では、蓋部材をかぶせた状態で内部に冷気が入るよう、蓋部材と容器本体との会合部に各々通気用切欠部を形成し、該通気用切欠部を合致させて蓋部材を容器本体に装着することにより開口を形成し、出荷時には、蓋を１８０°回転させて容器本体に装着し直すことにより、各々の通気用切欠部をずらして開口が形成されない閉塞状態とし、保冷状態を維持して搬送できるように構成されている。そのため、やはり蓋部材は容器本体に対して外れ易いものとされ、本格的に輸送する際には、バンド、或いはテープ等によって蓋部材を容器本体に固定することが成されていた。
【０００５】
しかしながら、上記したバンド、或いはテープ等によって蓋部材を容器本体に固定する作業は、煩雑であり、また、別途のバンド、或いはテープ等の梱包費もかかるため、できれば無くしたい作業であった。
そこで、容器本体の対向する一方の両側壁上面と、該上面に対応する蓋部材の対向面に凹凸嵌着可能な係止部を設けるとともに、容器本体の対向する他方の両側壁上部と該側壁に対応する蓋部材の両側部に互いに係合して所要の摺動により容器内部を視認し得るとともに、容器本体内外を連通させる通気空隙を形成する摺動可能な構造が施された発泡合成樹脂製容器が提案されている（特許文献１）。
【０００６】
【特許文献１】特願２０００−１０９１４３
【発明の開示】
【発明が解決しようとする課題】
【０００７】
しかしながら、上記した特許文献１に記載された技術においては、蓋部材の摺動による内部の視認等の作業を容易にするためには、蓋止状態における蓋部材と容器本体との係止部の係合を強いものとすることはできず、少なくとも本格的に輸送する際には、蓋部材が勝手に摺動しないようにテープ等で蓋部材を容器本体に固定する必要があった。また、冷蔵庫内において、蓋部材を摺動させて内部に冷気が入るようにした場合、蓋部材は容器の側方に突出することとなり、容器をつめた状態で冷蔵庫内に入れることができないことから、スペースを多くとると言う課題も有していた。
【０００８】
本発明は、上述した背景技術が有する課題に鑑みて成されたものであって、その目的は、蓋部材を、容器本体から容易に外せる状態と、容器本体に強固に係合した状態との２種の蓋止状態を取り得る発泡合成樹脂製容器を提供することにある。
【課題を解決するための手段】
【０００９】
上記した目的を達成するため、請求項１の本発明に係る発泡合成樹脂製容器は、底面と、該底面の外周より立ち上がる側壁とを有し、上面が開口した四角形状の容器本体と、該容器本体の前記上面開口を蓋止する四角板形状の蓋部材とから成る発泡合成樹脂製容器において、前記蓋部材と前記容器本体との会合部に、９０度或いは１８０度相対的に回転させて蓋部材を容器本体に装着した場合に、非係合状態から係合状態、或いはその逆の状態となる係合部を形成したことを特徴とする。
【００１０】
また、請求項２の本発明に係る発泡合成樹脂製容器は、上記請求項１の発明において、上記蓋部材と上記容器本体との会合部に、９０度或いは１８０度相対的に回転させて蓋部材を容器本体に装着した場合に、開口状態から閉塞状態、或いはその逆の状態となる通気用切欠部を更に形成したことを特徴とする。
【発明の効果】
【００１１】
上記した請求項１の本発明に係る発泡合成樹脂製容器によれば、市場等において該容器内に入れられた被収納物を視認する必要が有る場合等には、係合部が非係合状態となるように蓋部材を容器本体に装着しておけば、保冷状態を維持できるとともに、容易に蓋部材の開閉ができ、被収納物を視認することができる。一方、容器を輸送する場合には、蓋部材を９０度或いは１８０度回転させて容器本体に装着し直せば、係合部が係合状態となり、蓋部材は容器本体に固定されるため、別途、バンド、或いはテープ等によって蓋部材を容器本体に固定することなく、その輸送が可能となる。
【００１２】
また、上記した請求項２の本発明に係る発泡合成樹脂製容器によれば、上記請求項１の容器に、蓋部材と容器本体との会合部に通気用切欠部を更に形成したものとしたため、冷蔵庫内では、蓋部材をかぶせた状態で内部に冷気が入るよう、蓋部材と容器本体との会合部に形成した通気用切欠部を合致させて開口状態とし、輸送時には、蓋部材を９０度或いは１８０度回転させて通気用切欠部をずらして閉塞状態とするとともに、係合部を係合状態とし、蓋部材を容器本体に固定する。これによって、別途、バンド、或いはテープ等によって蓋部材を容器本体に固定することなく、また開口も存在しないために保冷状態を維持して輸送することができる。
【発明を実施するための最良の形態】
【００１３】
以下、上記した本発明に係る発泡合成樹脂製容器の実施の形態を、図面を参照しながら詳細に説明する。
ここで、図１は、本発明に係る発泡合成樹脂製容器の蓋部材の一実施の形態を示した斜視図、図２は、同じく本発明に係る発泡合成樹脂製容器の容器本体の一実施の形態を示した斜視図である。また、図３は、図１及び図２に示した蓋部材を容器本体に装着する状態（通気用切欠部が開口状態、係合部が非係合状態）を示した側面図、図４は、図３のＡ−Ａ線に沿う部分の拡大断面図、更に図５は、図３の蓋部材の容器本体への装着時における通気用切欠部同士及び係合部同士の位置関係を概念的に示した平面図である。また、図６は、図１及び図２に示した蓋部材を容器本体に装着する状態（通気用切欠部が閉塞状態、係合部が係合状態）を示した側面図、図７は、図６のＢ−Ｂ線に沿う部分の拡大断面図、更に図８は、図６の蓋部材の容器本体への装着時における通気用切欠部同士及び係合部同士の位置関係を概念的に示した平面図である。
【００１４】
図示した本発明に係る発泡合成樹脂製容器の蓋部材１０は、発泡合成樹脂、例えば、発泡ポリステレン、発泡ポリエチレン、発泡ポリプロピレン等によって四角板形状に成形されている。また、本発明に係る発泡合成樹脂製容器の容器本体２０も、発泡合成樹脂によって、底面２１と、該底面２１の外周より立ち上がる側壁２２とを有し、上面が開口２３した四角形状に成形されている。
【００１５】
上記蓋部材１０の外周には、図１に示したように、容器本体２０との会合部を形成する環状の凸条１１が下方に向けて形成され、該環状凸条１１の下面には溝１２が形成されている。そして、溝１２を画成する環状の両側壁１３，１４には、その適所に貫通した通気用切欠部１５が各々形成されている。また、外側の環状側壁１３の内周面側（溝側）には、断続的に係合部１６が形成されている。
【００１６】
一方、上記容器本体２０の側壁２２の上端には、図２に示したように、環状の凸条２４が形成され、該環状の凸条２４が、上記した蓋部材１０の溝１２に嵌入するように構成されている。そして、環状の凸条２４の適所には、貫通した通気用切欠部２５が形成されている。また、環状の凸条２４の外周面側には、断続的に係合部２６が形成されている。
【００１７】
上記蓋部材１０に形成された通気用切欠部１５と容器本体２０に形成された通気用切欠部２５、及び蓋部材１０に断続的に形成された係合部１６と容器本体２０に断続的に形成された係合部２６とは、特殊な位置関係で各々形成されている。
【００１８】
即ち、蓋部材１０を容器本体２０に装着する状態において、図３〜図５に示したように、通気用切欠部１５，２５同士は合致して開口状態となり、係合部１６，２６同士はずれて非係合状態となる場合と、図６〜図８に示したように、通気用切欠部１５，２５同士はずれて閉塞状態となり、係合部１６，２６同士は合致して係合状態となる場合の両者の状態を実現し得る位置関係に形成されている。
【００１９】
上記の状態を実現できる通気用切欠部１５，２５と、係合部１６，２６の位置関係の一例を、図５及び図８に示す。
【００２０】
図５に示したものは、先ず、蓋部材１０に形成された８個の通気用切欠部１５と、容器本体２０に形成された８個の通気用切欠部２５とが合致し、容器の内外を連通する開口が形成された状態を示す。通気用切欠部１５，２５の形成位置は、図面の上下の辺においては、各々２個の通気用切欠部１５，２５が右方向にずれた同一位置に形成され、図面の左右の辺においては、各々２個の通気用切欠部１５，２５が上方向にずれた同一位置に形成されている。
【００２１】
そして、この場合、蓋部材１０を１８０度回転させて容器本体２０に装着し直すと、図８に示したように、蓋部材１０に形成された通気用切欠部１５は、図面の上下の辺においては左方向にずれた位置となり、図面の左右の辺においては下方向にずれた位置となるため、容器本体２０に形成された通気用切欠部２５とは合致せず、今後は、容器の内外を連通する開口が存在しない閉塞状態を形成することができる。
【００２２】
一方、図８に示したものは、蓋部材１０に断続的に形成された２０個の係合部１６と、容器本体２０に断続的に形成された２０個の係合部２６とが合致し、蓋部材１０と容器本体２０とが係合状態にあることを示す。係合部１６，２６の形成位置は、図面の上下の辺においては、該辺を１０等分した長さの５個の係合部１６，２６が各々右方向に半ピッチずらせて等間隔を開けて同一位置に形成され、図面の左右の辺においては、該辺を１０等分した長さの５個の係合部１６，２６が各々下方向に半ピッチずらせて等間隔を開けて同一位置に形成されている。
【００２３】
そして、この場合、蓋部材１０を１８０度回転させて容器本体２０に装着し直すと、図５に示したように、蓋部材１０に断続的に形成された係合部１６は、容器本体２０に断続的に形成された係合部２６の間に位置することとなり、両係合部１６，２６は合致せず、今後は、蓋部材１０が容器本体２０から容易に外せる非係合状態とすることができる。
【００２４】
上記したような通気用切欠部１５，２５と、係合部１６，２６の位置関係とすることにより、１８０度回転させて蓋部材を容器本体に装着した場合に、開口状態から閉塞状態、或いはその逆の状態となる通気用切欠部を形成することができ、また、１８０度回転されて蓋部材を容器本体に装着した場合に、非係合状態から係合状態、或いはその逆の状態となる係合部を形成することができる。
【００２５】
以上、本発明に係る発泡合成樹脂製容器の一実施の形態を説明したが、本発明は、何ら既述の実施の形態に限定されず、特許請求の範囲に記載した本発明の要旨を逸脱しない範囲内において、種々変形及び変更を加え得ることは当然である。
【００２６】
例えば、上記実施の形態において示した蓋部材１０及び容器本体２０の形状は、一例を示したに過ぎず、特に、蓋部材１０と容器本体２０との会合部の形状は、何ら上記実施の形態のものに限定されず、例えば、蓋部材の裏面に環状の凸条を形成し、該環状の凸条を容器本体の開口に内嵌、或いは外嵌する構成の会合部、或いは蓋部材の裏面に直接環状の凹溝を形成し、該環状の凹溝に容器本体の側壁上端を嵌入する構成の会合部等、現在、公知の種々の会合部の形状を本発明においては採用できる。
【００２７】
また、蓋部材１０と容器本体２０との会合部に形成する通気用切欠部１５，２５と、係合部１６，２６の形状及びその配置も、何ら上記実施の形態のものに限定されず、また、通気用切欠部１５，２５は、必ずしも無くてもよい。
【００２８】
図９及び図１０に、蓋部材１０と容器本体２０との会合部に、他の実施の形態に係る係合部１６，２６を形成したものを示す。
この実施の形態においては、図９に示したように、蓋部材１０の会合部となる図面の左右の辺に、各々内方に突出する長尺な係合部１６を形成し、図面の上下の辺には、凹部１７を形成している。一方、容器本体２０の会合部には、図１０に示したように、図面の左右の辺に、各々外方に突出する長尺な係合部２６を形成し、図面の上下の辺に、凹部２７を形成している。
【００２９】
上記した構成の蓋部材１０を容器本体２０に装着すると、左右の辺に設けた係合部１６，２６同士が係合し、蓋部材１０が容器本体２０に固定された係合状態となる。そして、蓋部材１０を９０度回転させて容器本体２０に装着し直すと、各係合部１６，２６は対向する会合部に形成された凹部２７，１７に入り込み、今後は容易に蓋部材１０の開閉ができる非係合状態となる。
本発明は、要するに、蓋部材と容器本体との会合部に、９０度或いは１８０度相対的に回転させて蓋部材を容器本体に装着した場合に、非係合状態から係合状態、或いはその逆の状態となる係合部を有している発泡合成樹脂製容器が全て対象となる。
【図面の簡単な説明】
【００３０】
【図１】本発明に係る発泡合成樹脂製容器の蓋部材の一実施の形態を示した斜視図である。
【図２】本発明に係る発泡合成樹脂製容器の容器本体の一実施の形態を示した斜視図である。
【図３】図１及び図２に示した蓋部材を容器本体に装着する状態（通気用切欠部が開口状態、係合部が非係合状態）を示した側面図である。
【図４】図３のＡ−Ａ線に沿う部分の拡大断面図である。
【図５】図３の蓋部材の容器本体への装着時における通気用切欠部同士及び係合部同士の位置関係を概念的に示した平面図である。
【図６】図１及び図２に示した蓋部材を容器本体に装着する状態（通気用切欠部が閉塞状態、係合部が係合状態）を示した側面図である。
【図７】図６のＢ−Ｂ線に沿う部分の拡大断面図である。
【図８】図６の蓋部材の容器本体への装着時における通気用切欠部同士及び係合部同士の位置関係を概念的に示した平面図である。
【図９】本発明に係る発泡合成樹脂製容器の蓋部材の他の実施の形態を示した図であって、（ａ）は裏面図、（ｂ）はＣ−Ｃ線に沿う部分の拡大断面図、（ｃ）はＤ−Ｄ線に沿う部分の拡大断面図である。
【図１０】本発明に係る発泡合成樹脂製容器の容器本体の他の実施の形態を示した図であって、（ａ）は平面図、（ｂ）はＥ−Ｅ線に沿う部分の拡大断面図、（ｃ）はＦ−Ｆ線に沿う部分の拡大断面図である。
【符号の説明】
【００３１】
１０    蓋部材
１１    環状の凸条
１２    溝
１３    溝を画成する外側の環状側壁
１４    溝を画成する内側の環状側壁
１５    通気用切欠部
１６    係合部
１７    凹部
２０    容器本体
２１    底面
２２    側壁
２３    開口
２４    環状の凸条
２５    通気用切欠部
２６    係合部
２７    凹部
【図１】
2007091309.tif 000003
【図２】
2007091309.tif 000004
【図３】
2007091309.tif 000005
【図４】
2007091309.tif 000006
【図５】
2007091309.tif 000007
【図６】
2007091309.tif 000008
【図７】
2007091309.tif 000009
【図８】
2007091309.tif 000010
【図９】
2007091309.tif 000011
【図１０】
2007091309.tif 000012